(57)【要約】【課題】部材を用いること無く雨音の騒音を抑制することができる屋根構造を提供する。【解決手段】下方に開口し上方に突出する凸部１１と上方に開口し下方に凹む凹部１２とが軒に沿う方向に交互に形成された凹凸屋根材１を備え、この凹凸屋根材１が野地板２上に設けられて凸部１１と野地板２との間に第一通気空間１１ａが形成され、凸部１１の側片部１３は対向する側片部１３同士が互いに非平行であり、凸部１１の上片部１４は野地板２の上面と非平行であることを特徴とする。【選択図】図１
2014080731.tif 000002
【特許請求の範囲】
【請求項１】
下方に開口し上方に突出する凸部と上方に開口し下方に凹む凹部とが軒に沿う方向に交互に形成された凹凸屋根材を備え、この凹凸屋根材が野地板上に設けられて前記凸部と前記野地板との間に第一通気空間が形成され、前記凸部の側片部は対向する側片部同士が互いに非平行であり、前記凸部の上片部は前記野地板の上面と非平行であることを特徴とする屋根構造。
【請求項２】
前記凸部の前記側片部は前記側片部の下端から前記側片部の上端に行く程前記凸部の内方に向かって傾斜し、前記凸部の上片部が上方へ凸となるように湾曲していることを特徴とする請求項１記載の屋根構造。
【発明の詳細な説明】
【技術分野】
【０００１】
本発明は、屋根構造に関するものである。
【背景技術】
【０００２】
従来、太陽光発電パネルが備えられる屋根材で、太陽光発電パネルの性能を低下させないために、通気を良くする凹凸屋根材が設けられていた。しかしその凹凸屋根材は、雨が凹凸屋根材に当たった際に発生する騒音が大きかった。
【０００３】
凹凸屋根材は、下方に開口し上方に突出する凸部と、上方に開口し下方に凹む凹部を有している。凸部と凹部は軒方向に交互に複数形成されている。従来の凹凸屋根材の凸部は形状は、凹部の下片部の軒方向の両端から略垂直に突設し互いに平行な側片部と、側片部の上端を結合し野地板の上面と平行となる上片部と、で形成されている。この凸部の形状は、二つの定常波５１、５２を発生させ易い形状となっている。
【０００４】
一つ目の定常波５１について説明する。凸部の上片部と野地板の上面とが平行であるため、凸部の上片部の軒方向に沿って連続的に存在する図３（ａ）に示す上下方向の矢印で示す一つ目の定常波５１（図中には一つだけ示す）が発生する。
【０００５】
二つ目の定常波５２について説明する。凸部の対向する側片部同士が互いに平行であるため、凸部の側片部の上下方向に沿って連続的に存在する図３（ａ）に示す左右方向の矢印で示す二つ目の定常波５２（図中には一つだけ示す）が発生する。
【０００６】
定常波５１、５２はその性質として、特定の周波数帯の音を増幅させる。そのため、二つの定常波５１、５２が発生しているので、二つの特定の周波数帯の音が増幅される。そうすると、従来の凹凸屋根材の雨音の騒音は、全周波数帯の中で二つの騒音の大きさのピークを持つことになる。ピークを持つことにより、ピークとなる周波数帯の音が、大きな騒音となって聞こえる。
【０００７】
騒音を抑制する方法として、従来から、屋根に打ちつける雨による騒音を抑制するために、屋根に防音をするための部材を備える屋根構造が知られている（例えば特許文献１参照）。
【先行技術文献】
【特許文献】
【０００８】
【特許文献１】特開２００５−８３１７２号公報
【発明の概要】
【発明が解決しようとする課題】
【０００９】
特許文献１に記載されている発明は、屋根に打ちつける雨音の騒音を抑制するために有機高分子材料からなる制震シートが用いられていた。しかし、騒音を抑制するために新たな部材が必要なため、施工のコストが上がる原因となってしまっていた。
【００１０】
本発明は上記従来の問題点に鑑みて発明したものであって、その目的とするところは、新たな部材を用いること無く雨音の騒音を抑制する屋根構造を提供することを課題とするものである。
【課題を解決するための手段】
【００１１】
上記課題を解決するために、本発明は、以下のような構成とする。
【００１２】
下方に開口し上方に突出する凸部と上方に開口し下方に凹む凹部とが軒に沿う方向に交互に形成された凹凸屋根材を備え、この凹凸屋根材が野地板上に設けられて前記凸部と前記野地板との間に第一通気空間が形成され、前記凸部の側片部は対向する側片部同士が互いに非平行であり、前記凸部の上片部は前記野地板の上面と非平行であることを特徴とする。
【００１３】
また、前記凸部の前記側片部は前記側片部の下端から前記側片部の上端に行く程前記凸部の内方に向かって傾斜し、前記凸部の上片部が上方へ凸となるように湾曲していることが好ましい。
【発明の効果】
【００１４】
本発明の屋根構造は、新たな別の部材を用いること無く雨音の騒音を抑制することができる。
【図面の簡単な説明】
【００１５】
【図１】本発明の凹凸屋根材の断面図である。
【図２】本発明の屋根構造を示した斜視図である。
【図３】（ａ）は従来の凸部の内部で形成される定常波を示す断面図であり、（ｂ）は本発明の凸部の内部で拡散される音波を示す断面図である。
【発明を実施するための形態】
【００１６】
以下、本発明を添付図面に示す実施形態に基いて説明する。
【００１７】
本実施形態の屋根構造は図２に示すように片流れ屋根を有する建物３に適用したものである。以下では、傾斜した屋根面に沿って軒と棟を結ぶ矢印Ｄ１に示す方向を軒棟方向とし、軒に沿う矢印Ｄ２に示す方向を軒方向とする。
【００１８】
建物３の屋根下地は、垂木等の建築躯体上に野地板２を設けることで形成されている。野地板２は棟側から軒側に向かって一様な角度で傾斜している。
【００１９】
野地板２には凹凸屋根材１が軒方向に複数並べて載置されている。
【００２０】
本実施形態の各凹凸屋根材１は鋼板製である。なお、各凹凸屋根材１は鋼板以外の金属板で形成してもよく、また、その材質は金属に限定されるものではない。凹凸屋根材１は、下方に開口し上方に突出する凸部１１と、上方に開口し下方に凹む凹部１２を有している。凸部１１と凹部１２は軒方向に交互に複数形成されている。各凸部１１の側片部１３は隣接する凹部１２の側片部１３を兼ねている。
【００２１】
凹凸屋根材１は野地板２の上に載置され、凹凸屋根材１の凹部１２に釘を打ち込み野地板２まで貫通させることにより、凹凸屋根材１を野地板２に固定させる。そして、釘を打ち込んだ部分の水密性を保つためにコーキングを行う。
【００２２】
野地板２とこの上に配置された各凹凸屋根材１の間には第一通気空間１１ａが形成されている。第一通気空間１１ａは凸部１１と野地板２とで囲まれた空間であって、軒方向に凸部１１と同数形成されている。第一通気空間１１ａは、凹凸屋根材１の軒棟方向における略全長に亘って形成されている。
【００２３】
図２に示されるように複数の凹凸屋根材１で構成される屋根面上に、機能パネルとしての太陽光発電パネル４が設けられている。太陽光発電パネル４は、シリコンを主材料とした半導体素子により太陽光発電エネルギーを電気エネルギーに変換して出力するものである。太陽光発電パネル４は、様々なものが公知となっていて、これらを適宜利用可能である。
【００２４】
太陽光発電パネル４は複数の凹凸屋根材１に跨って設けられている。太陽光発電パネル４はボルトを用いて屋根面上に固定されている。
【００２５】
図２に示されるように太陽光発電パネル４は複数の凸部１１の上面に跨って載置されている。太陽光発電パネル４を凸部１１の上面に載置し、凸部１１の内側を第一通気空間１１ａとする。太陽光発電パネル４とこの下方に位置する凹凸屋根材１の間には、太陽光発電パネル４と凹凸屋根材１の凹部１２で囲まれた第二通気空間１２ａが形成されている。第二通気空間１２ａは、太陽光発電パネル４で閉塞された凹部１２と同数形成されている。各第二通気空間１２ａは、太陽光発電パネル４の軒棟方向における全長に亘って形成されている。太陽光発電パネル４は、周囲の雰囲気温度が高い場合や、直射日光が長時間照射された場合等に、発電素子が高温になって発電効率（変換効率）が低下する恐れがある。しかし、本実施形態では太陽光発電パネル４を第一通気空間１１ａと第二通気空間１２ａを流れる外気により冷却することができるので、太陽光発電パネル４の発電効率の低下を抑えることができる。
【００２６】
屋根に打ちつける雨の騒音が、従来の凹凸屋根材１では大きく聞こえてしまっているため、本実施形態の凹凸屋根材１は、従来の凹凸屋根材１と比べてその形状を変更している。
【００２７】
これは、従来の凹凸屋根材１は、凸部１１の側片部１３が凹部１２の下片部から凸部１１の対向する側片部１３同士が互いに平行になるように立設し、凸部１１の上片部１４は野地板２に対して平行に設けられていることが原因となっている。
【００２８】
凹凸屋根材１の側片部１３が互いに平行であるため、両側片部１３間の距離に応じた定常波５２が発生し易くなっている。凹凸屋根材１の上片部１４と野地板２の上面が互いに平行であるため、上片部１４と野地板２との間の距離に応じた定常波５１が発生し易くなっている。これらの定常波５１、５２により、騒音レベルのピークが二箇所発生することになる。そして定常波５１、５２は、特定の周波数帯の音を増幅させる。そのため、騒音レベルがピークとなる周波数帯の音が増幅されるため、上記したように凹凸屋根材１から発生する騒音が大きな騒音であると感じてしまう。
【００２９】
本実施形態の凹凸屋根材１は、凹凸屋根材１の凸部１１の側片部１３を側片部１３の下端から側片部１３の上端に行く程凸部１１の内方に向かって傾斜させ、凸部１１の上片部１４を上方へ凸となるように湾曲させている。
【００３０】
凹凸屋根材１の凸部１１の側片部１３を互いに対称に傾斜させることで、対向する側片部１３同士は互いに非平行となり、図３（ｂ）に示すように音波６が拡散され、定常波５２が発生し難くなっている。このとき、側片部１３の傾斜は雨水が流れ易い形状であることが好ましい。また凹凸屋根材１の上片部１４を上方へ凸となるように湾曲させることで、野地板２の上面と上片部１４とは非平行になり、図３（ｂ）に示すように音波６が拡散され、定常波５１が発生し難くなっている。このとき、上片部１４の湾曲は雨水が流れ易い形状である方が好ましい。なお、凹凸屋根材１の側片部１３と上片部１４とは上記の形状で形成されているが、対向する側片部１３は互いに非平行であればよく、また上片部１４と野地板２の上面とは非平行であればよいので、上記の形状に限定されない。
【００３１】
このような屋根構造にすることで、制震材のような部材を新たに用いること無く定常波５１、５２を発生し難くするので、特定の音だけ大きく聞こえることも無くなり、また全体の騒音レベルも抑制することができる。
【符号の説明】
【００３２】
１    凹凸屋根材
１１  凸部
１１ａ  第一通気空間
１２  凹部
１２ａ  第二通気空間
１３  側片部
１４  上片部
２    野地板
３    建物
４    太陽光パネル
５１  定常波
５２  定常波
６    音波
【図１】
2014080731.tif 000003
【図２】
2014080731.tif 000004
【図３】
2014080731.tif 000005